(57)【特許請求の範囲】
【請求項１】
遊技盤１０の遊技領域１１内に、特定入賞口４１での遊技球入賞検出に基づいて特別遊技用の権利を発生し得る権利発生入賞装置４０と、該権利発生入賞装置４０での権利発生条件時に遊技球を有効な始動用の入賞球として入賞検出することにより特別遊技開始条件を発生し得る第３種始動入賞装置５１と、該第３種始動入賞装置５１での入賞検出毎の特別遊技開始条件で開成作動されて設定個数の遊技球を入賞可能とした大入賞口９５を開放し得る開閉部材９６とが設けられた遊技機において、
前記第３種始動入賞装置５１は、前記遊技盤１０に装着される装置本体５２において、前記遊技領域１１に取着される取付基板５３の上段部前側に取着されて１個の遊技球を一対に設けられた規制体８４間の球保留位置に受承するカバー体８０と、取付基板５３の中段部前側に形成されて前記カバー体８０で覆われた状態で前記球保留位置から落下された遊技球を入賞球として通入し得る縦樋部５４と、取付基板５３の下段部前後側に亘り形成されて縦樋部５４側から落下された入賞球を受入れて裏側へ通出し得る球通路６１を形成した横樋部６０と、該横樋部６０の上部口内に組込まれて入賞球を通入検出して前記特別遊技開始条件を発生し得る球検出器５９と、を有するとともに、前記カバー体８０における球保留位置の下側と縦樋部５４の上側との間隔位置で水平状に回転される第１回転体７０と、前記縦樋部５４の下側と前記横樋部６０の上側の間隔位置で水平状に回転される第２回転体７５と、を備えており、
前記第１回転体７０と第２回転体７５とは、前記装置本体５２に回転可能に支持された縦軸７７の上端と下端に一体連結されて、装置本体５２の裏側に設置された駆動モータ９０に対して歯車９２，９３，９４を介して同方向へ一体回転可能とされており、
第１回転体７０には前記球保留位置の下面と前記縦樋部５４の上面を閉鎖する円形板部の所要部位に、球保留位置に受入れられた遊技球を入賞球として通入して縦樋部５４内に落下させ得る開口状の落球部７１が形成される一方、前記第２回転体７５には前記縦樋部５４の下面と前記横樋部６０の上面を閉鎖する円形板部の所要部位に、縦樋部５４内に位置する入賞球を通入して横樋部６０内に落下させ得る開口状の落球部７６が形成され、
前記第１回転体７０の落球部７１と前記第２回転体７５の落球部７６との配置関係が、両回転体７０，７１の回転方向において、落球部７１の位置を基準に見て落球部７６が回転方向の前方に変位した位置に配置されているとともに、上下の落球部７１，７６間における入賞球の落下状態を前記カバー体８０で覆蓋したことを特徴とする遊技機。
【発明の詳細な説明】
【０００１】
【発明の属する技術分野】
この発明は、遊技盤の遊技領域に配設されかつ球を所定時間保留して放出する入賞装置を備えた遊技機に関する。
【０００２】
【従来の技術】
従来、例えば、遊技機としてのパチンコ機において、遊技盤の遊技領域に対し、第３種入賞装置（第３種始動口とも呼ばれている）が配設された形式のパチンコ機が知られている。このような形式のパチンコ機において、図１６に示すように、第３種入賞装置１５１の装置本体１５２の上部には前方に開口しかつ正面形状が略円形の収納室１５２ａが形成されている。収納室１５２ａには、その内周壁面との間に適宜の隙間をもって正面形状が略円形の回転体１７０が前後方向に水平な軸を中心として回転可能に装着されている。回転体１７０の外周には球を受けて保留する略半円形の球受け部１７１が形成されている。一方、収納室１５２ａには、回転体１７０の球受け部１７１が、同回転体１７０の外周面の上部に達したときに、その球受け部１７１に対し球が流入可能な開口部１６０が形成されている。さらに、収納室１５２ａの奥側壁には、球通路に連通する流入口１６１が形成されている。
【０００３】
また、回転体１７０の球受け部１７１と流入口１６１との関係において、回転体１７０の球受け部１７１に球が流入可能な球保留位置から、図１６に向かって反時計方向に略１８０度〜２７０度変位した球放出位置まで回転体１７０が回転したときに、その球受け部１７１の球が流入口１６１に放出されるように設定されているのが一般的であった。
【０００４】
【発明が解決しようとする課題】
ところで、前記したような第３種入賞装置１５１を備えたパチンコ機において、回転体１７０の外周には球受け部１７１が１つだけ形成され、球保留位置において、球受け部１７１に球が流入して保留されると、回転体１７０が１回転するまでは、次の球が球受け部１７１に流入することができない。また、回転体１７０の球保留位置から球放出位置まで回転するために要する時間は、大当たり遊技の際の１ラウンドに相当する所要時間よりも適宜に長く、通常、約２０秒〜３０秒前後に設定されている。さらに、回転体１７０の球受け部１７１に対する球の有無は、回転体１７０の全回転域において視認可能であり、その球受け部１７１と、流入口１６１との関係も回転体１７０の全回転域において認識可能である。
【０００５】
このようなことから、球保留位置において、回転体１７０の球受け部１７１に球が入って保留された後、その球が回転体１７０の回転によって球放出位置まで移送される間においては、球が球通路の流入口１６１に放出されることがないことが明確となる。このため、遊技者は、回転体１７０の球受け部１７１の球が球通路の流入口１６１に放出される直前まで遊技盤の遊技領域に対する球の発射を中断（止め打ち）することがしばしばある。一方、ホール経営者側にとっては、パチンコ遊技の際、球の発射が中断（止め打ち）されると、パチンコ機の稼働率が低下し、不利益となる。
【０００６】
この発明の目的は、前記従来の問題点に鑑み、回転体に保留された球が同回転体から放出される時期を不明確にすることができ、入賞装置を第３種始動入賞装置として遊技機に使用することで稼働率の向上を図ることができる入賞装置を備えた遊技機を提供することである。
【０００７】
前記目的を達成するために、この発明は、請求項１に記載のとおりの構成を要旨とする。したがって、略垂直方向の軸線回りに回転し、かつ上面に球受け面を有する回転体の少なくとも後半部が視認不能とされ、回転体の落球部の位置を視認困難とすることができる。このため、例えば、入賞装置を第３種入賞装置として用いた遊技機である場合、回転体の球受け面の球保留位置に保留された球が、同回転体の落球部から落下する直前までの間においても、球発射装置側の球が遊技盤の遊技領域に対し発射されることとなる。すなわち、遊技者にとっては、回転体の落球部の位置が視認困難となるため、球の発射を中断（止め打ち）すると、その止め打ちの間において、回転体の球保留位置にある球が落球部から落下することがあり、球の発射を中断（止め打ち）することがしづらくなる。
【０００８】
【発明の実施の形態】
この発明の実施の形態を図１〜図１５にしたがって説明する。遊技機としてのパチンコ機の遊技盤を正面から表した図５において、遊技盤１０の前面には、その周縁部に沿って案内レール１２が取り付けられ、その案内レール１２の内側を遊技領域面１１としている。また、案内レール１２の図５に向かって左側には球発射装置（図示しない）から発射された球を遊技領域面１１に向けて案内するための球発射通路１５が形成されている。遊技盤１０の遊技領域１１の略中央部には、センター役物２０が装着されている。このセンター役物２０の役物本体２１の中央部には窓部２２が形成され、その窓部２２には、図柄表示装置２３が装着されている。また、図柄表示装置２３の前面に設けられた表示面には、制御装置（制御基板）から出力される制御信号に基づいて図柄（絵柄、数字、文字等を含む）が表示されるようになっている。
【０００９】
遊技盤１０の遊技領域１１には、センター役物２０の略直下に位置して図柄作動器３０が装着されている。この図柄作動器３０の入球口には、球を検出するセンサが組み付けられており、そのセンサによる球の検出信号が制御装置に送られるようになっている。また、遊技領域１１には、図柄作動入賞器３０の下方に位置して権利発生入賞装置４０が装着されている。権利発生入賞装置４０には、特定入賞口４１が開閉可能に設けられている。
【００１０】
さらに、遊技盤１０の遊技領域１１には、センター役物２０の上部寄りの左右両側方に位置して風車器３５が装着されるとともに、センター役物２０の下部寄りの左右両側方に位置して風車器３６、一般入賞器３２、風車器３７、サイドランプ器３８がそれぞれ併設されている。なお、この実施の形態において、図柄作動器３０は、ワープ入口を兼用し、その図柄作動器３０の図５に向かって左斜め下方にはワープ出口３９が設けられ、そのワープ出口３９の直下には一般入賞器４２が配設されている。
【００１１】
遊技盤１０の遊技領域１１には、図５に向かってセンター役物２０の右下方に位置して入賞装置としての第３種始動入賞装置５１が配設されている。図２に示すように、第３種始動入賞装置５１は、その装置本体５２の取付基板５３において遊技盤１０の前面にビスや釘等によって取り付けられている。図１〜図４に示すように、取付基板５３の前面の上半部略中央には、上下方向の球通路を構成する縦樋部５４と、その縦樋部５４の下端から奥側に延びかつ前後方向の球通路６１を有する横樋部６０とがそれぞれ連通して形成されている。縦樋部５４の略中央部には、その奥側から前側寄り部分に向けて切込溝５５が略水平状に切り込まれている。
【００１２】
装置本体５２には、その縦樋部５４の上端と切込溝５５に差し込まれる位置において、第１回転体７０と第２回転体７５とが、略垂直方向の軸線を有する縦軸７７を中心としてそれぞれ一体状に回転可能に装着されている。これら第１・第２の両回転体７０、７５は、略水平で円盤状にそれぞれ形成され、その各上面には球を受承する球受け面がそれぞれ形成されている。また、第１・第２の両回転体７０、７５の上下方向の間隔寸法は球の直径寸法よりも適宜に大きく設定されている。さらに、第１・第２の両回転体７０、７５は、極めて低速で回転する出力軸９１を有する駆動モータ（例えば、ギヤードモータ）９０を駆動源として所定方向に回転される。
【００１３】
すなわち、図１に示すように、駆動モータ９０の出力軸９１には、出力歯車９２が設けられ、第１・第２の両回転体７０、７５の縦軸７７には、出力歯車９２に対し中間歯車９３を介して噛み合う従動歯車９４が設けられている。そして、駆動モータ９０の出力軸９１が所定方向に低速で回転することで、中間歯車９３、従動歯車９４及び縦軸７７を介して第１・第２の両回転体７０、７５が約３０秒〜４０秒の間に１回転するようになっている。なお、パチンコ機１の電源スイッチがオンの状態にあるときには、駆動モータ９０が作動し、第１・第２の両回転体７０、７５が、図３に向かって時計方向に連続して回転する。
【００１４】
図３と図４に示すように、第１・第２の両回転体７０、７５は、その各球受け面の前側寄り中央部に位置する部分（縦樋部５４の球通路に対応する部分）を球保留位置としている。そして、第１・第２の両回転体７０、７５に対し、その各球受け面の球保留位置に受承された球の動きを規制して、これら１・第２の両回転体７０、７５の回転に係わらず、球を球保留位置に保持するための規制体５８、８４が配設されている。この実施の形態において、第１回転体７０に対する規制体８４は、左右一対をなす両カバー体８０の一部に一体に形成されている。また、第２回転体７５に対する規制体５８は、縦樋部５４の壁部によって構成されている。
【００１５】
第１回転体７０に対する規制体５８が形成される両カバー体８０は、装置本体５２の取付基板５３の前面から縦樋部５４の前端部左右両側部との間において装着されている。これら両カバー体８０は、第１・第２の両回転体７０、７５の外周を覆うようにして平断面略円弧状に形成された側カバー部８１と、その側カバー部８１の上端部から第１回転体７０の球受け面の前半部の向けて張り出し状に延出された上板部８２とを一体に備えている。両カバー体８０の上板部８２の延出端は、球の直径寸法よりも大きい間隔寸法を隔てて対向しており、これら上板部８２の延出端には第１両回転体７０の球保留位置に受承された球の動きを規制する規制体８４がそれぞれ一体に形成されている。なお、遊技盤１０には、図４に示すように、第１回転体７０の上方に位置しかつ第１回転体７０の球受け面の球保留位置に球を導く左右一対の誘導釘１３が配設されている。
【００１６】
図３と図４に示すように、第１・第２の両回転体７０、７５には、これら両回転体７０、７５の各球保留位置に保留された球が落下可能な落球部７１、７６がそれぞれ切り欠き状に形成されている。また、第１回転体７０の落球部７１は、球の直径寸法よりも適宜に大きくかつ第１回転体７０の周方向に適宜に長い長円形状に形成されている。
【００１７】
これに対し、第２回転体７５の落球部７６は、球の直径寸法よりも適宜に大きい略円形状に形成されている。さらに、第２回転体７５の落球部７６の中心は、第１回転体７０の落球部７１の中心に対し、その回転方向の前方（図３に向かって左前方）でかつ略９０度の角度において変位した位置に設けられている。そして、第２回転体７５の落球部７６が球保留位置を通過した直後（１、２秒あるいは数秒後）において、第１回転体７０の落球部７１が球保留位置に達するように設定されている。言い換えると、第１回転体７０の落球部７１が球保留位置を通過した後、約２０秒〜３５秒経過すると、第２回転体７５の落球部７６が球保留位置に達するように設定されている。
【００１８】
図３に示すように、第１・第２の両回転体７０、７５の落球部７１、７６は、パチンコ機１の前方から視認が困難となるように、その少なくとも後半部が装置本体５２の取付基板５３によって視認不能に隠蔽されている。カバー体８０の側カバー部８１及び上板部８２は、装置本体５２の背面側に必要に応じて設けられる照明ランプの光が出射可能でかつ第１・第２の両回転体７０、７５の落球部７１、７６がパチンコ機１の前方から殆ど視認不能に、半透明又は不透明の合成樹脂等によって形成されることが望ましい。また、縦樋部５４においては、第２回転体７５の球保留位置に球が保留されているか否かを確認できるように、その縦樋部５４の全体、又は縦樋部５４の少なくとも前板部５４ａは、透明または半透明な合成樹脂等によって形成されることが望ましい。但し、縦樋部５４の前板部５４ａにおいても、半透明又は不透明にし、第２回転体７５の球保留位置に球が保留されているか否かを不明としてもよい。
【００１９】
また、図４に示すように、装置本体５２には、その横樋部６０の球通路６１の入口部分を構成する縦樋部５４の内周壁部には、第２回転体７５の下方に位置して球検出器５９が装着されている。さらに、図２に示すように、装置本体５２の取付基板５３の前面の下半部には大入賞口９５を開閉可能に構成する一対の開閉部材９６が開閉可能に組み付けられている。
【００２０】
この実施の形態に係る遊技機としてのパチンコ機１は上述したように構成される。したがって、パチンコ遊技の際、遊技盤１０の遊技領域１１の上部に向けて順次に発射された球は、不確定な割合（誘導釘の釘調整で適宜に変わる）において、一般入賞器３２の入賞口、図柄作動器３０の作動口等の入球口に流入する。これら入球口に流入しなかった球は、遊技領域１１の下部のアウト口１８から機外に排出される。
【００２１】
図柄作動器３０の作動口に球が流入し、センサによって検出されると、その球の検出信号が制御装置に送られる。すると、制御装置から制御信号が図柄表示装置２３に出力される。そして、制御信号に基づいて、図柄表示装置２３の表示面に表示された図柄がそれぞれ変動し、設定時間後に停止する。これによって図柄表示装置２３の表示面には、制御信号に基づく図柄がそれぞれ表示される。前記表示面に表示された図柄が当たり図柄、例えば、「７・７・７」となって停止した場合、権利発生入賞装置４０の特定入賞口４１が所定時間（例えば、５．５秒）だけ開く。特定入賞口４１が所定時間だけ開いている状態において、その特定入賞口４１に球が流入し、その球が特定入賞口４１の特別領域、例えば、Ｖゾーンを通過すると、その球の通過がセンサによって検出され、制御装置に出力される。これによって大当たりの権利が発生する。
【００２２】
大当たりの権利発生を確認した遊技者は、球発射ハンドルのハンドル操作によって球の発射速度を高め、遊技盤１０の遊技領域１１の右側上部に対し球を発射する（通称、右打ちと言われている）。これによって、第３種始動入賞装置５１の第１回転体７０の球受け面上の球保留位置に向けて球が流れ、その球が球保留位置に受承される確率が高くなる。図６と図７に示すように、第１回転体７０の球受け面上の球保留位置には、１つの球Ｂのみが受承される。すると、その球Ｂの動きが、規制体８４によって規制され、第１回転体７０の回転に係わらず球保留位置に保留される。
【００２３】
図８と図９に示すように、第１回転体７０の落球部７１が球保留位置に達すると、第１回転体７０の球保留位置の球Ｂが落球部７１を通して第２回転体７５の球受け面上の球受け位置に落下して受承される。図１０と図１１に示すように、第２回転体７５の球受け面上の球保留位置には、１つの球Ｂのみが受承される。すると、その球Ｂの動きが、規制体５８によって規制され、第２回転体７５の回転に係わらず球保留位置に保留される。一方、図１２と図１３に示すように、第１回転体７０の球受け面上の球保留位置には次の球Ｂが受承される。
【００２４】
図１４と図１５に示すように、第１回転体７０の落球部７１が球保留位置を通過した後、約２０秒〜３５秒経過すると、第２回転体７５の落球部７６が球保留位置に達する。すると、第２回転体７５の球受け位置の１つの球Ｂが落球部７６及び球検出器５９を順に通過して横樋部６０の球通路６１に流がれる。球検出器５９によって球Ｂが検出されると、その信号が制御装置に出力され、大当りとなる。すると、一対の開閉部材９６による大入賞口９５が開く。
【００２５】
大入賞口９５に球Ｂが１０個入るか、あるいは、所定時間（例えば、１０秒前後）経過すると、大入賞口９５が閉じ、大当たり遊技の１ラウンドが終了する。大入賞口９５が閉じた後、第２回転体７５の球受け位置の次の球Ｂが落球部７６及び球検出器５９を順に通過すると、再び大入賞口９５が開き、大当たり遊技の２ラウンドが開始される。このようにして大入賞口９５が最大１６回開閉を繰り返し、大当たり遊技が１６ラウンド行われることで、大当り遊技が終了する。
【００２６】
また、この実施の形態において、第１・第２の回転体７０、７５が球Ｂの直径よりも若干大きい間隔を保って上下に配設され、第２回転体７５の球受け位置には、１つの球Ｂのみが保留される。しかも、第１回転体７０の落球部７１が球保留位置を通過した後、１ラウンドの遊技に要する時間（例えば、１０秒前後）よりも長い時間（例えば、約２０秒〜３５秒）経過すると、第２回転体７５の落球部７６が球保留位置に達するように設定されている。このため、第２回転体７５の球受け位置の落球部７６から複数の球Ｂが連続的に放出され、これら球Ｂが球検出器５９において連続的に検出されることを確実に防止することができる。すなわち、第２回転体７５の落球部７６から１つの球Ｂが放出され、その球Ｂが球検出器５９によって検出されて、大当たり遊技の１つのラウンドが行われる直後、あるいは、大当たり遊技の１つのラウンドの最中に、次の球Ｂが球検出器５９によって検出されることが確実に防止される。このため、大当たり遊技の１つのラウンドが中断されて次のラウンドに移行し、遊技者に対し不利益を与えるという不具合を確実に防止することができる。
【００２７】
さて、パチンコ機１の前方からの第１・第２の両回転体７０、７５の視認可能領域は、縦樋部５４の前板部５４ａを通して視認可能な部分に狭められ、第１・第２の両回転体７０、７５のその他の領域は視認不能領域となる。このようにして、第１・第２の両回転体７０、７５の視認可能領域が狭められることで、その第１・第２の両回転体７０、７５の各落球部７１、７６の位置が視認困難となる。このため、大当たりの権利発生直後、あるいは、大当たりの権利発生途中において、遊技者は、第１回転体７０の球受け面上の球保留位置に球Ｂが受承されるにも係わらず、引き続いて右打ち状態を保つこととなる。
【００２８】
すなわち、遊技者にとっては、第１・第２の両回転体７０、７５の各落球部７１、７６の位置が視認困難となるため、球Ｂの発射を中断（止め打ち）すると、その止め打ちの間において、第１・第２の両回転体７０、７５の球保留位置にある球Ｂが各落球部７１、７６から落下することがあり、球Ｂの発射を中断（止め打ち）することがしづらくなる。この結果、球Ｂの発射が中断（止め打ち）され、パチンコ機の稼働率が低下し、ホール経営者側にとって不利益となる不具合が解消される。
【００２９】
また、この実施の形態において、縦樋部５４の前板部５４ａは、透明又は半透明に形成されている。このため、第１・第２の両回転体７０、７５の各球保留位置に対し球Ｂが存在しているか否かが明確に視認される。さらに、第１・第２の両回転体７０、７５の各落球部７１、７６を通して球Ｂがそれぞれ落下する状態や、球Ｂが球検出器５９を通過する状態も視認可能となる。この結果、球Ｂの存在が不明確となって遊技者に対し不信感や不安感等を与えることもない。
【００３０】
また、縦樋部５４の前板部５４ａの他、縦樋部５４の側板部、左右一対のカバー体８０を透明又は半透明としても、第１・第２の両回転体７０、７５の後半部は装置本体５２の取付基板５３等の部分において視認不能に隠蔽される。これによって、パチンコ機１の前方からの第１・第２の両回転体７０、７５の視認可能領域は、その第１・第２の両回転体７０、７５の前半の略９０度〜１８０度以下の領域に狭めることができる。縦樋部５４の前板部５４ａの他、縦樋部５４の側板部、左右一対のカバー体８０を透明又は半透明としても、第１・第２の両回転体７０、７５の各落球部７１、７６の位置が視認困難となる。
【００３１】
このため、大当たりの権利発生直後、あるいは、大当たりの権利発生途中において、遊技者は、第１回転体７０の球受け面上の球保留位置に球Ｂが受承されるにも係わらず、引き続いて右打ち状態を保つこととなる。この結果、球Ｂの発射が中断（止め打ち）され、パチンコ機の稼働率が低下し、ホール経営者側にとって不利益となる不具合が解消される。さらに、縦樋部５４や左右一対のカバー体８０を透明又は半透明とし、装置本体５２の背面側に照明ランプを配設することで、電飾性を高め、遊技を盛り上げることができる。
【００３２】
なお、この発明は前記実施の形態に限定するものではない。例えば、前記実施の形態では、入賞装置としての第３種始動入賞装置５１に対し第１回転体７０と第２回転体７５とをそれぞれ配設したが、１つの回転体（第１回転体７０）のみ配設して第３種始動入賞装置５１を構成することもでき、３つ以上の回転体を配設して第３種始動入賞装置５１を構成することもできる。また、第３種始動入賞装置５１以外の遊技機の入賞装置に対しても採用可能である。
【００３３】
【発明の効果】
以上述べたように、この発明によれば、回転体の落球部の位置を視認困難にして回転体の球保留位置に保留された球が、同回転体の落球部を通して落球する時期を不明確にすることができる。このため、入賞装置を第３種始動入賞装置として遊技機に使用することで、止め打ちを防止し、稼働率の向上を図ることができる。
【図面の簡単な説明】
【図１】この発明の実施の形態に係る遊技機としてのパチンコ機の第３種始動入賞装置の第１回転体と第２回転体の関係を破断して示す斜視図である。
【図２】同じく第３種始動入賞装置を示す正面図である。
【図３】同じく図４のＩＩＩ−ＩＩＩ線に基づく第３種始動入賞装置の平断面図である。
【図４】同じく図３のＩＶ−ＩＶ線に基づく第３種始動入賞装置の正断面図である。
【図５】同じくパチンコ機の遊技盤を示す正面図である。
【図６】同じく第１回転体の球保留位置に球が保留された状態を示す図７のＶＩ−ＶＩ線に基づく第３種始動入賞装置の平断面図である。
【図７】同じく第１回転体の球保留位置に球が保留された状態を示す図６のＶＩＩ−ＶＩＩ線に基づく第３種始動入賞装置の正断面図である。
【図８】同じく第１回転体の球保留位置に球が落球部から第２回転体の球保留位置に落下した状態を示す図９のＶＩＩＩ−ＶＩＩＩ線に基づく第３種始動入賞装置の平断面図である。
【図９】同じく第１回転体の球保留位置に球が落球部から第２回転体の球保留位置に落下した状態を示す図８のＩＸ−ＩＸ線に基づく第３種始動入賞装置の正断面図である。
【図１０】同じく第２回転体の球保留位置に球が保留された状態を示す図１１のＸ−Ｘ線に基づく第３種始動入賞装置の平断面図である。
【図１１】同じく第２回転体の球保留位置に球が保留された状態を示す図１０のＸＩ−ＸＩ線に基づく第３種始動入賞装置の正断面図である。
【図１２】同じく第１・第２の両回転体の球保留位置に球がそれぞれ保留された状態を示す図１３のＸＩＩ−ＸＩＩ線に基づく第３種始動入賞装置の平断面図である。
【図１３】同じく第１・第２の両回転体の球保留位置に球がそれぞれ保留された状態を示す図１２のＸＩＩＩ−ＸＩＩＩ線に基づく第３種始動入賞装置の正断面図である。
【図１４】同じく第２回転体の球保留位置に球が落球部から球通路に落下した状態を示す図１５のＸＩＶ−ＸＩＶ線に基づく第３種始動入賞装置の平断面図である。
【図１５】同じく第２回転体の球保留位置に球が落球部から球通路に落下した状態を示す図１４のＸＶ−ＸＶ線に基づく第３種始動入賞装置の正断面図である。
【図１６】従来のパチンコ機の第３種入賞装置を示す正面図である。
【符号の説明】
１ パチンコ機（遊技機）
１０ 遊技盤
１１ 遊技領域
５１ 第３種始動入賞装置（入賞装置）
５２ 装置本体
５８、８４ 規制体
５９ 球検出器
７０ 第１回転体
７１ 落球部
７５ 第２回転体
７６ 落球部
【図１】
0004247447.tif 000002
【図２】
0004247447.tif 000003
【図３】
0004247447.tif 000004
【図４】
0004247447.tif 000005
【図５】
0004247447.tif 000006
【図６】
0004247447.tif 000007
【図７】
0004247447.tif 000008
【図８】
0004247447.tif 000009
【図９】
0004247447.tif 000010
【図１０】
0004247447.tif 000011
【図１１】
0004247447.tif 000012
【図１２】
0004247447.tif 000013
【図１３】
0004247447.tif 000014
【図１４】
0004247447.tif 000015
【図１５】
0004247447.tif 000016
【図１６】
0004247447.tif 000017